(57)【要約】【目的】強力な磁石を用いた場合でも、漏洩磁束を小さくし、かつ、磁化処理能力を低下させることがない。【解決手段】流体処理装置１０は、所定の配管配置中心軸Ｌに沿って配管２０への取付時に当該配管２０を介してＮ極およびＳ極が向かい合うように対向配置された複数の磁石１１Ａ、１１Ｂにより構成される磁石本体部１１と、磁石１１Ａ、１１Ｂの対向面の裏面側に磁気的に接続されて磁気閉回路を構成するとともに、配管配置中心軸Ｌに対して略平行に磁石本体部１１の周囲を覆うヨーク部１２と、を備える。【選択図】      図２
2004358401.tif 000002
【特許請求の範囲】
【請求項１】
流体の配管の周面に取り付けられて用いられる流体処理装置であって、
所定の配管配置中心軸に沿って前記配管への取付時に当該配管を介してＮ極およびＳ極が向かい合うように対向配置された複数の磁石により構成される磁石本体部と、
前記磁石の対向面の裏面側に磁気的に接続されて磁気閉回路を構成するとともに、前記配管配置中心軸に対して略平行に当該磁石本体部の周囲を覆うヨーク部と、
を備えたことを特徴とする液体処理装置。
【請求項２】
請求項１記載の液体処理装置において、
前記磁石本体部からの前記配管配置中心軸の延在方向への漏洩磁束を遮蔽すべく、前記配管配置中心軸に略垂直に配置された遮蔽板を備えたことを特徴とする液体処理装置。
【請求項３】
請求項２記載の液体処理装置において、
前記磁気閉回路は、前記配管配置中心軸の所定位置における磁束密度が２５００Ｇ以上であり、前記ヨーク部外周における漏洩磁束密度が１００Ｇ以下となるようにされていることを特徴とする液体処理装置。
【発明の詳細な説明】
【０００１】
【発明が属する技術分野】
本発明は、流体処理装置に関する。
【従来の技術】
従来より配管中を流れる水等の流体に磁化処理を施すことにより、配管中の流体に磁化処理を施す流体処理装置が知られている。上記従来の流体処理装置においては、永久磁石のＮ極からの磁力線は、配管内を横切って、配管を介して対向しているＳ極に到達する。そしてこの磁力線により配管内に形成された磁界により配管内を流れる流体に電流が流れて磁化処理がなされることとなっていた（例えば、特許文献１参照）。
【０００２】
【特許文献１】
特開平９−２７１７８２
【０００３】
【発明が解決しようとする課題】
ところでこの種の流体処理装置における作用原理は、ファラディの電磁誘導の法則であり、起電力が大きければ大きいほど、効果が得られることとなる。このためには、磁力線の磁束密度が高い、いわゆる強力な磁石を用いることが好ましい。
しかしながら、強力な磁石を用いれば用いるほど、流体処理装置の漏洩磁束密度も高くなり、近くに時計等の機器をおいた場合に、磁化されることにより正常に機能しなくなってしまうという問題点があった。
そこで、本発明の目的は、強力な磁石を用いた場合でも、漏洩磁束を小さくし、かつ、磁化処理能力を低下させることがない流体処理装置を提供することにある。
【０００４】
【課題を解決するための手段】
上記課題を解決するため、流体の配管の周面に取り付けられて用いられる流体処理装置は、所定の配管配置中心軸に沿って前記配管への取付時に当該配管を介してＮ極およびＳ極が向かい合うように対向配置された複数の磁石により構成される磁石本体部と、前記磁石の対向面の裏面側に磁気的に接続されて磁気閉回路を構成するとともに、前記配管配置中心軸に対して略平行に当該磁石本体部の周囲を覆うヨーク部と、を備えたことを特徴としている。
この場合において、前記磁石本体部からの前記配管配置中心軸の延在方向への漏洩磁束を遮蔽すべく、前記配管配置中心軸に略垂直に配置された遮蔽板を備えるようにしてもよい。
さらに、前記磁気閉回路は、前記配管配置中心軸における磁束密度が２５００Ｇ以上であり、前記ヨーク部外周における漏洩磁束密度が１００Ｇ以下となるようにされているようにしてもよい。
【０００５】
【発明の実施の形態】
次に本発明の好適な実施形態について図面を参照して説明する。
図１は、流体処理装置の配管取付状態における外観斜視図である。また、図２は、流体処理装置の分解斜視図である。また、図３は、流体処理装置の正面図である。また、図４は、流体処理装置の側断面図である。
流体処理装置１０は、図１に示すように、大別すると、磁石本体部１１と、ヨーク部１２と、遮蔽板１３Ａ、１３Ｂと、を備えている。
磁石本体部１１は、所定の配管配置中心軸Ｌに沿って配管２０への取付時に当該配管を介してＮ極およびＳ極が向かい合うように対向配置された二つの永久磁石１１Ａ、１１Ｂを備えている。
【０００６】
この場合において、永久磁石１１Ａ、１１Ｂは、配管２０が配置可能な大きさ、かつ、配管配置中心軸Ｌの所定位置Ｐ（中心近傍位置）における磁束密度が２５００Ｇ以上となるように選択される。
具体的には、ネオジウム系希土類磁石（例えば、ネオジウム鉄ボロン系磁石［Ｎｄ１５Ｆｅ７７Ｂ８］］）
などが選択される。
【０００７】
ヨーク部１２は、大別すると、上部ヨーク１２Ａおよび下側部ヨーク１２Ｂを備えており、上部ヨーク１２Ａおよび下側部ヨーク１２Ｂが協働することにより、磁石本体部１１を構成する永久磁石１１Ａ、１１Ｂの対向面の裏面側に磁気的に接続されて磁気閉回路を構成する。さらに配管配置中心軸Ｌに対して略平行に当該磁石本体部１１の周囲を覆っている。
この場合において、下側部ヨーク１２Ｂは、３枚の板状鋼板を溶接等によりコの字状に接合して構成している。また、ヨーク部１２の材質としては、一般構造用鋼板ＳＳ４００などが用いられる。
【０００８】
このとき、遮蔽板１３Ａ、１３Ｂは、磁石本体部１１からの配管配置中心軸Ｌの延在方向への漏洩磁束を遮蔽すべく、配管配置中心軸に略垂直に配置されて、上部ヨーク１２Ａおよび下側部ヨーク１２Ｂにねじ１５によりねじ留めされている。
【０００９】
図５は流体処理装置の取付状態説明図である。
流体処理装置１０は、実際の取付常態においては、図５に示すように、流体の配管２０周面に永久磁石１１ＡのＮ極と永久磁石１１ＢのＳ極とができるだけ近接するように取り付けられて用いられるものである。
すなわち、磁力線ができる限り、配管内部の流体内を通るように取り付けるのが好ましい。
この結果、流体が磁界内を磁力線と直交する方向に通過する際には、電流が流れることにより流体の性質改善がなされると考えられている。
このときに発生する電圧Ｅ［Ｖ］は、磁束密度をＢ［ステラ］とし、有効導体長をＬ［ｍ］とし、導体の移動速度をＶ［ｍ／ｓ］とすると、次式により表される。Ｅ＝Ｂ・Ｌ・Ｖこの電圧が印加される結果、配管内を流れる流体に変化が生じると考えられている。
【００１０】
一説によれば、流体が水の場合には、水素結合によって団塊状に結合している水分子のクラスタが細分化され、５〜６個の水分子構成されるクラスタとなり、活性が高くなって、溶解力、浸透力が向上し、配管の内壁に付着するボイラースケール（ｂｏｉｌｅｒ  ｓｃａｌｅ：ボイラ水中に存在するシリカなどの汚染物質の沈着物をいう。）やスライム（ｓｌｉｍｅ：軟泥状あるいはぬかるみ状の非常に細かい固体の液状スラリー）、錆などを剥離、脱落させることとなる。
また、処理が施された水は、熱伝導性も向上される。従って、給湯システム用配管、熱交換器、加湿器用配管、蒸気発生器、ボイラ用配管、ソーラーシステム用配管、風呂用配管などに設けることによって熱交換効率の向上を図ることができる。
【００１１】
さらに、処理が施された水は、溶解力、分散性および浸透性が高い。従って、薬剤や肥料などの溶解用に用いることで吸収効率などを向上して、より効果を上げることができる。
さらにまた、冷却塔に流体処理装置を適用すれば、炭酸塩によるスケールの発生を防ぎ、バクテリアなどによるスライムの発生を抑制することができる。
図５では、配管２０の周面に１個の流体処理装置１０が取り付けられている場合を示しているが、直列的に複数の流体処理装置１０を取り付けるようにすることも可能である。
【００１２】
以上の説明のように、本実施形態によれば、強力な磁石を用いた場合でも、漏洩磁束を小さくし、かつ、磁化処理能力を低下させることがない。
すなわち、液体処理能力を維持しつつ、周囲への影響を低減することができる。
以上の説明においては、永久磁石が二つの場合について説明したが、複数組の永久磁石を設けるように構成することも可能である。
また、各永久磁石は、複数枚の板状の永久磁石を磁気吸着させたもので構成することも可能である。
以上の説明においては、遮蔽板１３Ａ、１３Ｂは、磁石本体部１１からの配管配置中心軸Ｌの延在方向への漏洩磁束を遮蔽すべく、配管配置中心軸に略垂直に配置されて、上部ヨーク１２Ａおよび下側部ヨーク１２Ｂにねじ１５によりねじ留めしていたが、強度が必要とされる場合には、下側部ヨーク１２Ｂに溶接などにより遮蔽板１３Ａ、１３Ｂをあらかじめ固定し、設置時に上部ヨーク１２Ａにのみねじ１５によりねじ留めするようにしてもよい。
【００１３】
【発明の効果】
本発明によれば、流体処理装置としての効果を向上させるために、流体処理装置に強力な磁石を用いた場合でも、漏洩磁束を小さくし、かつ、磁化処理能力を低下させることがないので、液体処理能力を維持しつつ、周囲への影響を低減することができる。
【図面の簡単な説明】
【図１】流体処理装置の配管取付状態における外観斜視図である。
【図２】流体処理装置の分解斜視図である。
【図３】流体処理装置の正面図である。
【図４】流体処理装置の側断面図である。
【図５】流体処理装置の取付状態説明図である。
【符号の説明】
１０……流体処理装置
１１……磁石本体部
１１Ａ、１１Ｂ……永久磁石
１２……ヨーク部
１２Ａ……上部ヨーク
１２Ｂ……下側部ヨーク
１３Ａ、１３Ｂ……遮蔽板
１５……ねじ
２０……配管
【図１】
2004358401.tif 000003
【図２】
2004358401.tif 000004
【図３】
2004358401.tif 000005
【図４】
2004358401.tif 000006
【図５】
2004358401.tif 000007